(57)【要約】【課題】  収納する釣竿を素早く簡単に繋止することのできる釣竿ケースを提供する。【解決手段】  釣竿が収納可能なケース本体１を備えた釣竿ケースであって、ケース本体１の内部に、釣竿を繋止するためのバックル付きの竿固定ベルト３０を備え、バックル４０は互いに係脱自在な雄部材４１と雌部材４２からなり、一方のベルト本体３１には係合状態にある雄部材４１と雌部材４２の内側を覆うクッション材５０が取り付けられている。【選択図】  図３
2008011738.tif 000002
【特許請求の範囲】
【請求項１】
釣竿が収納可能なケース本体を備えた釣竿ケースであって、ケース本体の内部に、釣竿を繋止するためのバックル付きの竿固定ベルトを備えていることを特徴とする釣竿ケース。
【請求項２】
竿固定ベルトはそれぞれの一端部がケース本体に固定された一対のベルト本体を有し、バックルは互いに係脱自在な雄部材と雌部材からなり、該雄部材と雌部材の一方は一方のベルト本体の他端部に取り付けられ且つ、雄部材と雌部材の他方はそのベルト挿通部に他方のベルト本体の他端部側が挿通されて一端部からの距離が変更可能なように取り付けられ、一方のベルト本体には、係合状態にある雄部材と雌部材の内側を覆うクッション材が取り付けられている請求項１記載の釣竿ケース。
【請求項３】
他方のベルト本体は伸縮可能な材質からなり且つその他端部には部分的に肉厚となった摘み部が設けられている請求項２記載の釣竿ケース。
【発明の詳細な説明】
【技術分野】
【０００１】
本発明は、釣竿を収納するための釣竿ケースの改良に関する。
【背景技術】
【０００２】
従来、この種の釣竿ケースとしては、釣竿が収納可能なケース本体の内面に竿固定用の紐状体を備えたものが公知である。該ケース本体に釣竿を収納する際、その釣竿を紐状体で繋止し、それによって釣竿を安定させる。釣竿を複数収納する場合には、複数本の釣竿をまとめて紐状体で繋止することによって互いの衝突等を防止するようにもできる。
【特許文献１】特開２００４−３４４０１７号公報
【発明の開示】
【発明が解決しようとする課題】
【０００３】
しかしながら、従来の紐状体を使用する構成では、釣竿を釣竿ケースに収納する作業に時間がかかるため、釣り場での帰り支度に手間がかかるうえに、釣り場を変更する際にも手間取ることになる。
【０００４】
それゆえに本発明は、上記従来の問題に鑑みてなされ、収納する釣竿を素早く簡単に繋止することのできる釣竿ケースを提供することを課題とする。
【課題を解決するための手段】
【０００５】
本発明は、上記課題を解決すべくなされたものであり、本発明に係る釣竿ケースは、釣竿が収納可能なケース本体を備えた釣竿ケースであって、ケース本体の内部に、釣竿を繋止するためのバックル付きの竿固定ベルトを備えていることを特徴とする。
【０００６】
該構成の釣竿ケースにあっては、ケース本体に釣竿を収納する場合において、その釣竿を竿固定ベルトで繋止することができるが、その際、竿固定ベルトがバックル付きであるので、従来のように紐状体で縛るという作業が不要であってバックルで竿固定ベルトの締め具合や長さを調節して容易に釣竿を固定することができる。
【０００７】
また、竿固定ベルトはそれぞれの一端部がケース本体に固定された一対のベルト本体を有し、バックルは互いに係脱自在な雄部材と雌部材からなり、該雄部材と雌部材の一方は一方のベルト本体の他端部に取り付けられ且つ、雄部材と雌部材の他方はそのベルト挿通部に他方のベルト本体の他端部側が挿通されて一端部からの距離が変更可能なように取り付けられ、一方のベルト本体には、係合状態にある雄部材と雌部材の内側を覆うクッション材が取り付けられていることが好ましい。
【０００８】
該構成の場合には、雄部材と雌部材とを係合一体化させることで竿固定ベルトを環状とすることができて釣竿をその内側に固定することができる。雄部材と雌部材の係合の際には他方のベルト本体は緩めに設定しておき、係合の後に、他方のベルト体の他端部を把持してそれを引っ張ることで他方のベルト体の長さが調節されて竿固定ベルト全体の長さが短くなって釣竿が固定されることとなる。
【０００９】
更に、他方のベルト本体は伸縮可能な材質からなり且つその他端部には部分的に肉厚となった摘み部が設けられていることが好ましい。他方のベルト本体の伸縮性によって釣竿がより強固に繋止されることとなるうえに、その他端部における摘み部が肉厚であるので手が滑ることなくそれを容易に把持して素早く長さ調節して釣竿を固定することができる。
【発明の効果】
【００１０】
以上のように本発明の釣竿ケースにあっては、竿固定ベルトのバックルによって釣竿を繋止することができるので、繋止の作業が短時間で済み、釣りを終えての帰り支度や釣り場を変更する際の片付けも素早くなる。
【発明を実施するための最良の形態】
【００１１】
以下、本発明に係る釣竿ケースの一実施形態について図面を参酌しつつ説明する。
図１及び図２に示す本実施形態の釣竿ケースは、リール付きの釣竿Ｗを収納可能なようにその下部を前側に膨出させて太くした縦長のケース本体１と、該ケース本体１の外面に取り付けられた肩掛けベルト２及び把手３，４とを備えている。ケース本体１は、全体として縦長筒状に形成されていて、縦方向に沿って上端から下端まで伸びる本体開口部１０を有し、スライドファスナーによって上下に開閉できる。尚、ケース本体１の一側面にはスライドファスナーによって開閉されるポケット開口部１２を有するサイドポケット１１が設けられていて、このサイドポケット１１には柄杓や玉網等が収納可能である。尚、ケース本体１の上端開口はケース本体１の一側面が上方に延長されることによって閉塞され、下端開口はケース本体１の下端に合成樹脂成型品の底キャップ１３が外装着されることにより閉塞されている。
【００１２】
尚、ケース本体１は、その外装材として板状発泡体からなる基材の表面に表面シートが積層一体化されたものが使用され、その内装材としてはナイロン等の合成樹脂製の生地が使用される。また、基材は、例えばエチレン酢酸ビニル共重合体（ＥＶＡ）発泡体等であり、表面シートは例えばポリウレタンシートである。尚、外装材と内装材の間に硬質ボードを介装して強度を確保することも好ましい。
【００１３】
このようなケース本体１の内部には、リール付きの釣竿Ｗが複数収納することができるが、その複数の釣竿Ｗを互いの干渉を防止しながら分離状態で収納するために、ケース本体１の内面には仕切板２０が設けられている。該仕切板２０は本実施形態では横方向に離間した位置に二箇所設けられており、何れも縦方向に沿ってケース本体１の内面に縫着されている。仕切板２０はその一側縁部においてケース本体１の内面に縫着されその他側縁部は自由端とされている。
【００１４】
そして、この収納する釣竿をケース本体１の内部で安定にするために、釣竿を繋止する竿固定ベルト３０が設けられている。該竿固定ベルト３０は、ケース本体１の上部に設けられていて、具体的には、図３及び図４に示すように、バックル４０を備えたものであって、仕切板２０の一側縁部の上端部において仕切板２０と共にケース本体１の内装材に縫着されている。
【００１５】
竿固定ベルト３０は、伸縮可能な材質からなる一対のベルト本体３１，３２と、バックル４０を構成する互いに係脱自在な雄部材４１及び雌部材４２とを備えている。ベルト本体３１，３２としては例えばゴムベルトが使用される。一方のベルト本体３１は、その一端部３１ａがケース本体１に縫着されて他端部３１ｂが自由端に構成されている。そして、一方のベルト本体３１の他端部３１ｂは環状に形成され、その他端部３１ｂに雌部材４２が取り付けられている。雌部材４２は雄部材４１が挿入される挿入部を有して挿入された雄部材４１を係止するように構成されている。
【００１６】
他方のベルト本体３２は、その一端部３２ａがケース本体１に縫着されて他端部３２ｂは自由端に構成されている。そして、該他方のベルト本体３２の他端部３２ｂ側には雄部材４１が他方のベルト本体３２の長手方向に位置変更可能に取り付けられている。即ち、雄部材４１のベルト挿通部４１ａに他方のベルト本体３２の他端部３２ｂ側が挿通され、他方のベルト本体３２は雄部材４１において折り返される。従って、他方のベルト本体３２の他端部３２ｂを引っ張ることにより雄部材４１は他方のベルト本体３２の一端部３２ａから離間する。尚、他方のベルト本体３２の他端部３２ｂには他の部分よりも肉厚となるように別部材を縫着することによって摘み部３２ｃが形成されている。
【００１７】
そして、図４のように雄部材４１と雌部材４２とを係合させると、一対のベルト本体３１，３２はそれぞれの他端部３１ａ，３２ａにおいて連結されることになるので竿固定ベルト３０は環状となり、その内側に釣竿Ｗを複数まとめて固定するとができる。
【００１８】
また、一方のベルト本体３１の内側には所定幅の板状のクッション材５０が重なり合うようにして設けられている。該クッション材５０は、その一端部５０ａにおいて一対のベルト本体３１，３２と共に縫着されて他端部５０ｂに向けて一方のベルト本体３１と平行に水平方向に伸び、係合状態にある雄部材４１の内側まで達している。従って、バックル４０の内側はクッション材５０で覆われることとなって釣竿Ｗに直接バックル４０が接触することがこのクッション材５０で防止される。尚、クッション材５０は、その一端部５０ａ側において間隔をあけて複数箇所で一方のベルト本体３１と縫合されている
【００１９】
以上のように構成された釣竿ケースにあっては、図３及び図４のようにバックル４０を係合状態とすることでバックル４０を環状としてその内側に一本あるいは複数本の釣竿Ｗを繋止することができる。しかも、雄部材４１を雌部材４２に挿入係合させた後、他方のベルト本体３２の摘み部３２ｃを把持して引っ張れば環状となった竿固定ベルト３０の周囲の長さを容易に短くすることができるので、従来のように紐状体で縛るという作業に比して簡単であって、且つ素早く釣竿Ｗを確実に締め付けて固定することができる。特に、竿固定ベルト３０が穂先側に位置しているので釣竿Ｗの穂先が固定され安定化することとなってその破損が防止される。しかも、摘み部３２ｃが肉厚であって指が引っかかるので容易に引っ張ることができるうえに、ベルト本体３１，３２が伸縮するので確実に釣竿を固定できるのである。また更に、バックル４０の内側にクッション材５０が配備されて釣竿とバックル４０の接触を防止しているので、釣竿Ｗに擦れ傷が付いたりすることも防止される。
【図面の簡単な説明】
【００２０】
【図１】本発明の一実施形態における釣竿ケースの斜視図。
【図２】同釣竿ケースの使用状態を示す斜視図。
【図３】図２の要部拡大図。
【図４】同要部の平面図。
【符号の説明】
【００２１】
１…ケース本体１、２…肩掛けベルト、３，４…把手、１０…本体開口部、１１…サイドポケット、１２…ポケット開口部、１３…底キャップ、２０…仕切板、３０…竿固定ベルト、３１…一方のベルト本体、３２…他方のベルト本体、３２ｃ…摘み部、４０…バックル、４１…雄部材、４２…雌部材、５０…クッション材、Ｗ…釣竿
【図１】
2008011738.tif 000003
【図２】
2008011738.tif 000004
【図３】
2008011738.tif 000005
【図４】
2008011738.tif 000006